(57)【要約】【課題】ＯＬＥＤ発光中に次の画像用の階調データの入力及び駆動トランジスタのＶｔｈ補償を行うことができる電気光学装置を、提供する。【解決手段】  ＥＬＶＤＤとＯＬＥＤ１０との間には、ゲート−ソース間にブートストラップスイッチトランジスタ１７及び第１容量３１が直列接続された駆動トランジスタ１１が接続されており、電源からの電流をＯＬＥＤ１０に供給する。制御回路２は、転送トランジスタ１３をＯＦＦにするとともにブートストラップスイッチトランジスタ１７をＯＮにすることによって駆動トランジスタ１１が電源ＥＬＶＤＤからの電流をＯＬＥＤ１０に流している間に、第２容量３２に階調電圧を蓄積し、転送トランジスタ１３をＯＮにするとともにブートストラップスイッチトランジスタ１７をＯＦＦにしている間に、第２容量３２に蓄積されている電圧を駆動トランジスタ１１のゲートに印加して、第１容量３１をチャージする。【選択図】図２
2015045830.tif 000002
【特許請求の範囲】
【請求項１】
入力された階調データに基づく階調電圧に対応した電流を発光素子に供給することにより、当該発光素子を前記階調データに対応した輝度で発光させる電気光学装置であって、
電源と前記発光素子の電極との間に電気的に接続され、ゲート−ソース間に第１容量が接続され、当該第１容量に保持された電圧に従って前記電源からの電流の大きさを調整しつつ、当該電流を前記発光素子に供給する駆動トランジスタと、
階調電圧が保持される第２容量と、
前記第１容量と前記第２容量とを選択的に前記駆動トランジスタのゲートに接続するスイッチング手段と、
前記スイッチング手段により前記第１容量を前記駆動トランジスタのゲートに接続させている間に、前記第２容量に階調電圧を印加し、前記スイッチング手段により前記第２容量を前記駆動トランジスタのゲートに接続させている間に、前記駆動トランジスタのソースの電圧を前記第１容量に書き込む制御回路と
を備えたことを特徴とする電気光学装置。
【請求項２】
前記スイッチング手段は、前記第２容量と前記駆動トランジスタのゲートとの間に接続された第１スイッチングトランジスタと、前記第１容量と前記駆動トランジスタのゲートとの間に接続された第２スイッチングトランジスタとを有する
ことを特徴とする請求項１記載の電気光学装置。
【請求項３】
前記制御回路が階調電圧を送出するデータ線と前記第２容量の電極との間に、前記制御回路により、前記第２容量に階調電圧を印加するためにオンとされる第３スイッチングトランジスタを
更に備えたことを特徴とする請求項１記載の電気光学装置。
【請求項４】
前記電源よりも低い電圧が供給される線と前記第１容量における前記駆動トランジスタの前記ゲート側の電極との間に、前記制御回路により、前記駆動トランジスタのソースの電圧を前記第１容量に書き込む際にオンとされる第４スイッチングトランジスタを
更に備えたことを特徴とする請求項１記載の電気光学装置。
【請求項５】
前記駆動トランジスタと前記発光素子との間に、前記制御回路により、前記第１容量を前記駆動トランジスタのゲートに接続する際にオンとされる第５スイッチングトランジスタを
更に備えたことを特徴とする請求項１記載の電気光学装置。
【発明の詳細な説明】
【技術分野】
【０００１】
本発明は、電流により発光する電流発光素子を用いた電気光学装置を駆動する電気光学装置に関する。
【背景技術】
【０００２】
近年、供給される電流に応じた強度で発光する有機ＥＬ素子（Organic Electroluminescence Light Emitting Diode：ＯＬＥＤ）からなる電気光学装置が開発されている。このような電気光学装置では、画像信号中の階調データに対応した電圧（階調電圧）がゲートに供給される駆動トランジスタが、ＯＬＥＤに供給される電流量を変化させる。このように、各画素の各色用のＯＬＥＤごとに供給される電流の大きさを制御してその発光輝度を調整することによって、フルカラー画像の表示が可能になるのである。かかる駆動トランジスタとして用いられるＦＥＴは、ソース−ドレイン間に電流を流し始めるゲート電圧（以下、「閾値電圧」ないし「Ｖｔｈ」という）を固有の値として有しており、ゲートに印加された電圧とＶｔｈとの差分に応じた（差分の二乗に比例）大きさの電流を、ソース−ドレイン間に流す。
【０００３】
ところが、駆動トランジスタのＶｔｈは個体ごとにバラツキがあり、よって、同一の階調電圧がゲートに印加された場合であっても、駆動トランジスタ毎に、ＯＬＥＤに供給される電流の大きさが異なり、よって、その発光輝度が相違してしまうという問題がある。
【０００４】
そこで、従来、階調電圧に応じて駆動トランジスタのゲート−ソース間に印加される電圧Ｖｇｓに、予め当該駆動トランジスタのＶｔｈのバラツキ反映させておくことにより、結果として、Ｖｔｈのバラツキにかかわらず階調電圧に応じた大きさの電流をＯＬＥＤに供給する技術が、提案されている。このようにして、ＶｇｓにＶｔｈのバラツキを反映させることを、以下、「Ｖｔｈ補償」という。従来、Ｖｔｈ補償を伴うゲート電圧の印加は、駆動トランジスタのゲート−ソース間にＶｇｓを保持する容量を接続してソースフォロワ回路を構成するとともに、駆動トランジスタがＯＬＥＤに電流を供給するに先立つ期間に、Ｖｔｈに相当する電圧を当該容量に書き込んで（Ｖｔｈ補償）、階調データを重畳（データ入力）することによって行われていた。従って、個々のＯＬＥＤについては、Ｖｔｈ補償及びデータ入力を行う期間とＯＬＥＤを発光させる期間とは時系列的に連続しなければならなかった。
【０００５】
なお、ディスプレイを構成する全ＯＬＥＤについてのＶｔｈ補償及びデータ入力の実行順序に関しては、画像表示の形式がインターレース方式又はプログレッシブ方式である場合には、個々の水平走査期間の初めに、表示対象行に属する各画素の各色用のＯＬＥＤについてＶｔｈ補償及びデータ入力を実行する方式が提案され（プログレッシブ方式につき特許文献１）、全行の画像を同時に表示する同時発光駆動方式である場合には、画像表示前に全行分のＶｔｈ補償及びデータ入力を実行する方式が提案されていた（特許文献２）。
【先行技術文献】
【特許文献】
【０００６】
【特許文献１】特許５０６４４２１号公報
【特許文献２】特開２０１１−３４０３８号公報
【発明の概要】
【発明が解決しようとする課題】
【０００７】
特許文献１記載のプログレッシブ方式用のＶｔｈ補償及びデータ入力方式によると、ディスプレイの解像度を上げたり動画表示性能を上げるためにフレームレートを上げると、１水平走査期間が短くなってしまうので、Ｖｔｈ補償及びデータ入力を行うための十分な時間を確保することができなくなって映像に輝度ムラが発生してしまうという問題が生じる。特に、液晶シャッターメガネとディスプレイとを連動させて左目の視界を遮蔽している期間中に右目用の映像をディスプレイに表示させるとともに右目の視界を遮蔽している期間中に左目用の映像をディスプレイに表示させるいわゆるフレームシーケンシャル方式の３Ｄ表示を行う場合には、図１９に示すように、クロストーク現象を防止すべく、左右のシャッタが同時に開閉動作を行う遷移期間の間中ディスプレイを消灯しなければならない。ここで、図１９の横軸は時間経過に対応し、縦軸はディスプレイの行に対応する。また、黒の塗りつぶしは、左右のシャッタが同時に開閉動作を行っている遷移期間を示す。また、矢印ｌは、左目用の画像表示のために、各行のＯＬＥＤに対してＶｔｈ補償及びデータ入力を開始するタイミングを示し、網掛けされた期間Ｌは、左目用の画像表示のため各行の発光期間を示す。なお、各発光期間の終期が行毎にずれているのは、各行の発光時間を均一にして画面全体で明るさムラが生じないようにする必要があるからである。同様に、矢印ｒは、右目用の画像表示のために、各行のＯＬＥＤに対してＶｔｈ補償及びデータ入力を開始するタイミングを示し、網掛けされた期間Ｒは、右目用の画像表示のため各行の発光期間を示す。このように、プログレッシブ方式用のＶｔｈ補償及びデータ入力方式を用いてフレームシーケンシャル方式の３Ｄ表示を行う場合、Ｖｔｈ補償及びデータ入力を行うための時間が更に短くなってしまうという問題を生じる。逆に、発光時間を短くすると、映像の見かけの明るさを上げるためにＯＬＥＤの発光輝度を高める必要が生じるが、ＯＬＥＤに瞬間的に大電流を流すと、ＯＬＥＤの発光寿命が短くなってしまうという問題を生じる。
【０００８】
これに対して、特許文献２記載の同時発光駆動用のＶｔｈ補償及びデータ入力方式によると、Ｖｔｈ補償を全画素回路につき一括で行うので、Ｖｔｈ補償のための時間を長く取ったとしても、データ入力を各行について行うための水平走査期間をある程度確保することができる。そして、当該Ｖｔｈ補償方式によると、上述したフレームシーケンシャル方式の３Ｄ表示を行う場合であっても、左右のシャッタが同時に開閉動作を行う遷移期間の間にＶｔｈ補償を実行することが可能ではある。そうではあるものの、図２０に示すように、同時発光駆動用のＶｔｈ補償及びデータ入力方式においても、やはり、データ入力をＯＬＥＤの非発光期間中に行わなければならない。ここで、図２０の横軸は時間経過に対応し、縦軸はディスプレイの行に対応する。また、黒の塗りつぶしは、左右のシャッタが同時に開閉動作を行っている遷移期間を示す。また、矢印ｌは、左目用の画像表示のために、各行のＯＬＥＤに対してＶｔｈ補償及びデータ入力を開始するタイミングを示し（よって、一部の行に対するＶｔｈ補償及びデータ入力は上記遷移期間中に開始される）、網掛けされた期間Ｌは、左目用の画像表示のための各行の発光期間を示す。同様に、矢印ｒは、右目用の画像表示のために、各行のＯＬＥＤに対してＶｔｈ補償及びデータ入力を開始するタイミングを示し、網掛けされた期間Ｒは、右目用の画像表示のため各行の発光期間を示す。このように、同時発光駆動用のＶｔｈ補償及びデータ入力方式であっても、データ入力期間が短くなったり、発光期間が短くなったりする問題は、依然として残存している。
【０００９】
そこで、本発明の目的は、ＯＬＥＤ発光中に次の画像用の階調データの入力及び駆動トランジスタのＶｔｈ補償を行うことができ、よって、Ｖｔｈ補償及びデータ入力に要する期間も発光期間も共に十分確保するすることができる電気光学装置の提供を、課題とする。
【課題を解決するための手段】
【００１０】
本発明による電気光学装置は、入力された階調データに基づく階調電圧に対応した電流を発光素子に供給することにより、当該発光素子を前記階調データに対応した輝度で発光させる電気光学装置であって、電源と前記発光素子の電極との間に電気的に接続され、ゲート−ソース間に第１容量が接続され、当該第１容量に保持された電圧に従って前記電源からの電流の大きさを調整しつつ、当該電流を前記発光素子に供給する駆動トランジスタと、階調電圧が保持される第２容量と、前記第１容量と前記第２容量とを選択的に前記駆動トランジスタのゲートに接続するスイッチング手段と、前記スイッチング手段により前記第１容量を前記駆動トランジスタのゲートに接続させている間に、前記第２容量に階調電圧を印加し、前記スイッチング手段により前記第２容量を前記駆動トランジスタのゲートに接続させている間に、前記駆動トランジスタのソースの電圧を前記第１容量に書き込む制御回路とを備えたことを特徴とする。
【発明の効果】
【００１１】
本発明によれば、発光素子の発光中に次の画像用の階調データの入力及び駆動トランジスタのＶｔｈ補償を行うことができ、よって、Ｖｔｈ補償及びデータ入力に要する期間も発光期間も共に十分確保することができる。
【図面の簡単な説明】
【００１２】
【図１】第１実施形態の概略回路構成を示すブロック図
【図２】画素回路を構成する個々のＯＬＥＤ毎の駆動回路の詳細回路図
【図３】制御回路によって駆動回路に印加される信号の推移を示すタイミングチャート
【図４】Ｓ１での駆動回路の状態を示す回路図
【図５】Ｓ２での駆動回路の状態を示す回路図
【図６】Ｓ３での駆動回路の状態を示す回路図
【図７】Ｓ４での駆動回路の状態を示す回路図
【図８】Ｓ５での駆動回路の状態を示す回路図
【図９】Ｓ６での駆動回路の状態を示す回路図
【図１０】第１実施形態をフレームシーケンシャル方式の３Ｄ表示に用いた場合における動作説明図
【図１１】比較例の説明図
【図１２】第１実施形態の変形例を示す駆動回路の詳細回路図
【図１３】第２実施形態の画素回路を構成する個々のＯＬＥＤ毎の駆動回路の詳細回路図
【図１４】制御回路によって駆動回路に印加される信号の推移を示すタイミングチャート
【図１５】第３実施形態の画素回路を構成する個々のＯＬＥＤ毎の駆動回路の詳細回路図
【図１６】制御回路によって駆動回路に印加される信号の推移を示すタイミングチャート
【図１７】第４実施形態の画素回路を構成する個々のＯＬＥＤ毎の駆動回路の詳細回路図
【図１８】制御回路によって駆動回路に印加される信号の推移を示すタイミングチャート
【図１９】従来のプログレッシブ方式用の駆動回路をフレームシーケンシャル方式の３Ｄ表示に用いた場合における動作説明図
【図２０】従来の同時駆動発光方式用の駆動回路をフレームシーケンシャル方式の３Ｄ表示に用いた場合における動作説明図
【発明を実施するための形態】
【００１３】
以下、本発明の実施形態に係る電気光学装置について、図面を参照しながら詳細に説明する。なお、以下に示す実施形態は本発明の実施形態の一例であって、本発明はこれらの実施形態に限定されるものではない。
【００１４】
（第１実施形態）
本発明の第１実施形態に係る電気光学装置について、図面を参照しながら詳細に説明する。
【００１５】
図１は、本発明の第１実施形態による電気光学装置の構成を示すブロック図であり、図２は、各画素回路１中の各ＯＬＥＤ毎の駆動回路の具体的回路構成を示す回路図である。
【００１６】
電気光学装置は、ディスプレイパネルを構成する各画素毎に、３個一組のＯＬＥＤ（フルカラーを表現するために、夫々に設定された階調で各原色（赤、緑及び青）を夫々発光する３個一組のＯＬＥＤ）１０を備えている。図１では、各ＯＬＥＤ１０用の駆動回路の集合が、「画素回路」１と称されている。なお、画素回路１では、各画素を構成する多数のＯＬＥＤ１０の駆動回路がマトリクス状に配置されてディスプレイパネルを構成しており、図２に示すように、列方向に並ぶ複数のＯＬＥＤ１０の駆動回路には、共通のデータ線Ｄ、初期化トランジスタ駆動線Ｎ、ブートストラップスイッチ駆動線Ｇ、転送スイッチ駆動線Ｉ、発光スイッチ駆動線Ｅが接続され、行方向に並ぶ複数のＯＬＥＤ１０の駆動回路には、共通の走査線Ｓが接続され、さらに、全ＯＬＥＤ１０の駆動回路に第１電源線Ｐ及び第２電源線Ｗが接続されている。なお、上述した第１電源線Ｐには、図示せぬ電源回路から、アース電位に比較して十分に高い一定の電源電圧（ＥＬＶＤＤ）の電源が供給されており、第２電源線Ｗには電源電圧（ＥＬＶＤＤ）よりも十分に低い所定の基準電圧（ＶＳＴ）が供給されている。
【００１７】
そして、図１に示すように、本第１実施形態による電気光学装置は、かかる画素回路１及び制御回路２から、構成されている。
【００１８】
制御回路２は、外部から供給された各原色ごとの階調データからなる画像信号の入力を受けて、各ＯＬＥＤ１０の輝度を設定するための階調電圧又は初期化電圧（Ｖｉｎｉｔ）を上述するデータ線Ｄに供給するとともに、初期化トランジスタ駆動信号（ＧＣ１）、ブートストラップスイッチ駆動信号（ＧＣ２）、転送スイッチ駆動信号（ＧＣ３）及び発光スイッチ駆動信号（ＥＭ）を上述した初期化トランジスタ駆動線Ｎ、ブートストラップスイッチ駆動線Ｇ、転送スイッチ駆動線Ｉ、発光スイッチ駆動線Ｅに夫々供給する回路である。具体的には、制御回路２は、階調電圧生成部２２、基準電圧供給回路２３、制御信号供給回路２４及びスキャン信号供給回路２５に、区分されている。
【００１９】
基準電圧供給回路２３は、上述した第２電源線Ｗに基準電圧（ＶＳＴ）を、データ線Ｄに初期化電圧（Ｖｉｎｉｔ）を、それぞれ供給する。
【００２０】
また、階調電圧生成部２２は、各画素の各原色毎の階調データに基づいて各ＯＬＥＤ１０に設定すべき階調電圧を生成するとともに、ＯＬＥＤ１０の列毎に、生成した階調電圧（Ｄａｔａ）を、第１行のＯＬＥＤ１０用のものから順次、対応するデータ線Ｄに供給する。
【００２１】
また、制御信号供給回路２４は、所定の垂直同期期間の単位で、初期化トランジスタ駆動信号（ＧＣ１）、ブートストラップスイッチ駆動信号（ＧＣ２）、転送スイッチ駆動信号（ＧＣ３）及び発光スイッチ駆動信号（ＥＭ）を上述した初期化トランジスタ駆動線Ｎ、ブートストラップスイッチ駆動線Ｇ、転送スイッチ駆動線Ｉ、発光スイッチ駆動線Ｅに夫々供給する。
【００２２】
また、スキャン信号生成部２５は、階調電圧生成部２２から各データ線Ｄに順次供給される階調電圧（Ｄａｔａ）が入力されるべきＯＬＥＤ１０の駆動回路を指定するスキャン信号（Ｓｃａｎ）を、走査線Ｓに供給する。
【００２３】
次に、図２を参照して、個々のＯＬＥＤ１０の駆動回路の回路構成を説明する。図２において、第１電源線ＰとＯＬＥＤ１０のアノードとの間には、順番に、駆動トランジスタ１１及び発光スイッチトランジスタ１２（第５スイッチングトランジスタに相当）が直列接続されている。そして、発光スイッチトランジスタ１２のゲートには発光スイッチ駆動線Ｅが電気的に接続されている。また、駆動トランジスタ１１のソースとＯＬＥＤ１０のアノードとの接続点は、第２初期化トランジスタ１６を介して第２電源線Ｗに電気的に接続されている。この第２初期化トランジスタ１６のゲートは、初期化トランジスタ駆動信号（ＧＣ１）に電気的に接続されている。
【００２４】
駆動トランジスタ１１のソースと発光スイッチトランジスタ１２のドレインとの接続点は、第１容量３１及び第１初期化トランジスタ１４（第４スイッチングトランジスタに相当）を介して第１電源線Ｐに接続されている。この第１初期化トランジスタ１４のゲートは、初期化トランジスタ駆動信号（ＧＣ１）に電気的に接続されている。
【００２５】
第１容量３１と第１初期化トランジスタ１４との接続点と駆動トランジスタ１１のゲートとの間には、ブートストラップスイッチトランジスタ１７（第２スイッチングトランジスタに相当）が接続されている。このブートストラップスイッチトランジスタ１７のゲートは、ブートストラップスイッチ駆動線Ｇに接続されている。
【００２６】
駆動トランジスタ１１のゲートは、さらに、転送スイッチトランジスタ１３（第１スイッチングトランジスタに相当）及び第２容量３２を介して第２電源線Ｗに接続されている。この転送スイッチトランジスタ１３のゲートは、転送スイッチ駆動線Ｉに接続されている。また、転送スイッチトランジスタ１３と第２容量３２との接続点は、走査トランジスタ１５（第３スイッチングトランジスタに相当）を介してデータ線Ｄに接続されている。この走査トランジスタ１５のゲートは、スキャン線Ｓに接続されている。上述した転送スイッチングトランジスタ１３及びブートストラップスイッチトランジスタ１７は、同時にオンとはならず、選択的にＯＮとなり、第１容量３１又は第２容量３２を駆動トランジスタ１４のゲートに接続するので、スイッチング手段に相当する。
【００２７】
なお、駆動回路を構成する各トランジスタ１１〜１７は、いずれも、Ｎチャネル型ＭＯＳＦＥＴである。
【００２８】
次に、図３のタイミングチャート、図４乃至図９の回路図を用いて、制御回路２による各ＯＬＥＤ１０の駆動回路に対する制御内容を、説明する。なお、以下の処理は、所定の垂直同期信号に同期した周期で階調電圧生成部２２がフレーム単位の階調電圧を生成する毎に、繰り返し実行される。そして、制御回路２は、ＯＬＥＤ１０の全ての列に対する階調電圧の出力を並行に実行しつつピクセル単位で順次出力される当該階調信号を一行ずつ各ＯＬＥＤ１０の駆動回路に入力させるプログラミングを行い、その後、ＯＬＥＤ１０の全ての行に対する初期化，Ｖｔｈ補償及び第１容量３１へのデータ転送を行い、その後、転送されたデータに基づきＯＬＥＤ１０を発光させつつ、次のフレームの階調データについてのプログラミングを実行する。ただし、以下においては、説明の便宜上、あるフレームの階調データについてのプログラミングを実行する時点から、説明を開始する。
【００２９】
まず、図３のＳ１において、制御回路２は、全ての行について、初期化トランジスタ駆動信号（ＧＣ１）の電位をＬ（第１初期化トランジスタ１４＝ＯＦＦ、第２初期化トランジスタ１６＝ＯＦＦ）、ブートストラップスイッチ駆動信号（ＧＣ２）の電位をＨ（ブートストラップスイッチトランジスタ１７＝ＯＮ）、転送スイッチ駆動信号（ＧＣ３）の電位をＬ（転送スイッチトランジスタ１３＝ＯＦＦ）、発光スイッチ駆動信号（ＥＭ）の電位をＨ（発光スイッチトランジスタ１２＝ＯＮ）とする（図４参照）。これにより、全てのＯＬＥＤ１０の駆動回路において、駆動トランジスタ１１と第２容量３２とが電気的に分離され、第１容量３１がフローティングとなり、前のフレームの階調電圧に基づいて第１容量３１に保持された電圧（Ｖｇｓ＝Ｖｉｎｉｔ−Ｄａｔａ＋Ｖｔｈ）に応じて、駆動トランジスタ１１がＯＬＥＤ１０に電流を供給することにより、階調電圧に応じた輝度でＯＬＥＤ１０を発光させる。
【００３０】
同時に、制御回路２は、走査対象行（初期においては第１行であり、所定の水平同期信号に応じて、順次、次の行に切り換わる）以外の行については、第１スキャン信号（Ｓｃａｎ）の電位をＬ（走査トランジスタ１５＝ＯＦＦ）のままとしつつ、走査対象行については、第１スキャン信号（Ｓｃａｎ）の電位をＨ（走査トランジスタ１５＝ＯＮ）に切り替える（図４参照）。この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に蓄積される。なお、上述したように、転送スイッチトランジスタ１３がＯＦＦであることから、この階調電圧（Ｄａｔａ）が駆動トランジスタ１１のゲート電圧に影響を与えることはない。
【００３１】
制御回路２は、以上に説明したプログラミングを、所定の水平同期信号が入力されるごとに走査対象行を順次切り替えつつ、全ての行について実行する。そして、走査対象行を次の行に切り替えると、制御回路２は、プログラミングが完了した行の第１スキャン信号（Ｓｃａｎ）の電位をＬ（走査トランジスタ１５＝ＯＦＦ）に切り替えて、第１容量３１に階調電圧（Ｄａｔａ）を保持させる。
【００３２】
全ての行に対するプログラムが完了すると、制御回路２は、図３のＳ２において、データ線Ｄに供給している電圧を初期化電圧（Ｖｉｎｉｔ）に切り替えるとともに、全ての行のスキャン信号（Ｓｃａｎ）の電位をＬ（走査トランジスタ１５＝ＯＦＦ）に切り替え、初期化トランジスタ駆動信号（ＧＣ１）の電位をＨ（第１初期化トランジスタ１４＝ＯＮ、第２初期化トランジスタ１６＝ＯＮ）、発光スイッチ駆動信号（ＥＭ）の電位をＬ（発光スイッチトランジスタ１２＝ＯＦＦ）に切り替える（図５参照）。その結果、ＥＬＶＤＤからの電流は発光スイッチトランジスタ１２によって遮断されるので、ＯＬＥＤ１０は消灯する。また、ＯＬＥＤ１０のアノードが基準電圧（ＶＳＴ）に初期化され、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。同時に、駆動トランジスタ１１のゲート電位が初期化電圧（Ｖｉｎｉｔ）に初期化され、フローティングとなっている駆動トランジスタ１１のソース電位は、初期化電圧（Ｖｉｎｉｔ）から駆動トランジスタ１１の閾値電圧（Ｖｔｈ）分だけ降下した値（Ｖｉｎｉｔ−Ｖｔｈ）となり、駆動トランジスタ１１がＯＦＦとなる。このとき、駆動トランジスタ１１のゲート−ソース間寄生容量に蓄積された電圧は、Ｖｔｈとなる。
【００３３】
次に、図３のＳ３において、制御回路２は、全ての行について、ブートストラップスイッチ駆動信号（ＧＣ２）の電位をＬ（ブートストラップスイッチトランジスタ１７＝ＯＦＦ）、発光スイッチ駆動信号（ＥＭ）の電位をＨ（発光スイッチトランジスタ１２＝ＯＮ）に切り替える（図６参照）。すると、ブートストラップスイッチトランジスタ１７がＯＦＦになることにより、第１容量３１が駆動トランジスタ１１のゲートから切り離される。また、発光スイッチトランジスタ１２がＯＮになることにより、駆動トランジスタ１１のソースが基準電圧（ＶＳＴ）に初期化され、駆動トランジスタ１１のゲート−ソース間寄生容量の容量カップリングにより、駆動トランジスタ１１のゲート電圧は（ＶＳＴ＋Ｖｔｈ）となる。このとき、駆動トランジスタ１１はＯＦＦのままであるので、第１電源線Ｐと第２電源線Ｗとのショートが防止される。
【００３４】
次に、図３のＳ４において、制御回路２は、全ての行について、転送スイッチ駆動信号（ＧＣ３）の電位をＨ（転送スイッチトランジスタ１３＝ＯＮ）、発光スイッチ駆動信号（ＥＭ）の電位をＬ（発光スイッチトランジスタ１２＝ＯＦＦ）に切り替える（図７参照）。その結果、全てのＯＬＥＤ１０の駆動回路において、第２容量３２に蓄積された階調電圧（Ｄａｔａ）が、転送スイッチトランジスタ１３を通じて駆動トランジスタ１１のゲートに印加される。この時、上述したように、駆動トランジスタ１１のゲート−ソース間寄生容量には電圧（Ｖｔｈ）が蓄積されているので、駆動トランジスタ１１は直ちにＯＮとなる。これにより、駆動トランジスタ１１は、ソースフォロワ回路として働き、ＥＬＶＤＤからの電流が駆動トランジスタ１１、第１容量３１、第１初期化トランジスタ１４を通って流れ、駆動トランジスタ１１のソース電圧がゲート電圧（Ｄａｔａ）からＶｔｈだけ降下した値（Ｄａｔａ−Ｖｔｈ）となり、初期化電圧（Ｖｉｎｉｔ）との電位差（Ｖｉｎｉｔ−Ｄａｔａ＋Ｖｔｈ）が第１容量３１に保持される。すなわち、以上の動作により、駆動トランジスタ１１を通じて、階調電圧（Ｄａｔａ）の第２容量３２から第１容量３１への転送と、当該階調電圧（Ｄａｔａ）に対するＶｔｈ補償とが、同時になされたことになるのである。
【００３５】
次に、図３のＳ５において、制御回路２は、全ての行について、第１初期化トランジスタ駆動信号（ＧＣ１）の電位をＬ（第１初期化トランジスタ１４＝ＯＦＦ、第２初期化トランジスタ１６＝ＯＦＦ）、電源遮断信号（ＧＣ２）の電位をＨ（ブートストラップスイッチトランジスタ１７＝ＯＮ）、転送スイッチ駆動信号（ＧＣ３）の電位をＬ（転送スイッチトランジスタ１３＝ＯＦＦ）に、それぞれ切り替える（図８参照）。その結果、全てのＯＬＥＤ１０の駆動回路において、転送スイッチトランジスタ１３がＯＦＦになるので、第２容量３２が駆動トランジスタ１１のゲートから電気的に切り離される。また、第１初期化トランジスタ１４がＯＦＦになり、ブートストラップスイッチトランジスタ１７がＯＮになることから、駆動トランジスタ１１がブートストラップされた状態となり、第１容量３１に保持された電圧（Ｖｉｎｉｔ−Ｄａｔａ＋Ｖｔｈ）が駆動トランジスタ１１のゲート−ソース間に印加される。このとき、駆動トランジスタ１１のゲート−ソース間の寄生容量よりも第１容量３１が十分に大きいので、寄生容量とのチャージシェアは問題とならず、駆動トランジスタ１１のゲート−ソース間電圧はＶｇｓ（＝Ｖｉｎｉｔ−Ｄａｔａ＋Ｖｔｈ）になる。
【００３６】
次に、図３のＳ６において、制御回路２は、全ての行について、発光スイッチ駆動信号（ＥＭ）の電位をＨ（発光スイッチトランジスタ１２＝ＯＮ）に切り替える（図９参照）。その結果、駆動トランジスタ１１のゲート−ソース間電圧（Ｖｇｓ＝Ｖｉｎｉｔ−Ｄａｔａ＋Ｖｔｈ）から閾値電圧（Ｖｔｈ）分だけ降下した電圧（Ｖｉｎｉｔ−Ｄａｔａ）に応じた電流が駆動トランジスタ１１のドレイン−ソース間を流れ、ＯＬＥＤ１０を発光させる。その結果、ＯＬＥＤの発光輝度はＤａｔａに応じたものとなる。
【００３７】
以後、制御回路２は、ＯＬＥＤ１０の発光を継続しつつ次の階調電圧を入力するために、Ｓ１以降の処理を実行する。
【００３８】
以上に説明したように、本実施形態によれば、駆動トランジスタ１１のＶｇｓ保持用のメモリ（第１容量３１）とは別に、データ入力用のメモリ（第２容量３２）を備え、駆動トランジスタ１１が前者のメモリに保持されたＶｇｓに基づいてＯＬＥＤに駆動電流を供給するのと同時に、後者のメモリに次の階調データ（Ｄａｔａ）を入力することができる。よって、本実施形態によると、プログラム及びＶｔｈ補償に要する時間を十分に長く取ることが可能になる。そのため、例えば、図１０に示すように、フレームシーケンシャル方式の３Ｄ表示を行う場合においても、左右のシャッタが同時に開閉動作を行う遷移期間以外の期間中、各ＯＬＥＤ１０の発光による映像表示を行うことができるとともに、各フレームの映像表示を行っている期間及び左右のシャッタを同時に閉じる期間を用いてプログラムを行うことができるのである。ここで、図１０の横軸は時間経過に対応し、縦軸はディスプレイの行に対応する。また、黒の塗りつぶしは、左右のシャッタが同時に開閉動作を行っている遷移期間を示す。また、矢印ｌは、左目用の画像表示のために、各行のＯＬＥＤに対してＶｔｈ補償及びデータ入力を開始するタイミングを示し、網掛けされた期間Ｌは、左目用の画像表示のため各行の発光期間を示す。同様に、矢印ｒは、右目用の画像表示のために、各行のＯＬＥＤに対してＶｔｈ補償及びデータ入力を開始するタイミングを示し、網掛けされた期間Ｒは、右目用の画像表示のため各行の発光期間を示す。その結果、本実施形態によると、発光時間を長く取ることによって映像の見かけの明るさを明るくすることができるにもかかわらず、プログラム期間を長く取ることによって、念入りなＶｔｈ補償を行うことが可能になるのである。
【００３９】
しかも、本実施形態によれば、駆動トランジスタ１１がソースフォロワ回路として機能することで、後者のメモリ（第２容量３２）に入力された階調データ（Ｄａｔａ）を前者のメモリ（第１容量３１）に転送する機能を果たし、その際に、当該階調データ（Ｄａｔａ）に対してＶｔｈ補償を行う機能を果たす。そのため、各メモリに蓄積された電圧が示す数値の形態は変動するものの、階調データ（Ｄａｔａ）を電圧減衰無しに転送することができる。図１１は、容量同士を単純に接続することによって電荷を移転させる比較例を示すものであるが、この場合、チャージシェアによってデータ電圧が減衰してしまうという問題が生じてしまうので、本実施形態の有用性は明らかである。
【００４０】
また、データ転送の機能を果たす駆動トランジスタ１１が駆動電流を制御するものと共用されることから、データ転送用のソースフォロワ回路を新たに設ける必要がなくなり、回路を簡略化することができる。さらに、駆動トランジスタ１１自身でＶｔｈ補償を行うため、隣接トランジスタ間でバラツキが大きい場合でも、正確なＶｔｈ補償を行うことが可能である。また、データ転送とＶｔｈ補償とが同時に行われるので、制御信号のパターンが簡略になり、スイッチングノイズなどの影響が減る。
（変形例）
【００４１】
本第１実施形態において、ＯＬＥＤ１０の寄生容量や駆動トランジスタ１１のゲート−ソース間の寄生容量の大きさが無視できる程度であれば、図１２に示すように、第２初期化トランジスタ１６を省略して、ＯＬＥＤ１０の規制容量の放電及び駆動トランジスタ１１のソースの初期化を省略しても良い。この場合、第２容量３２を第１電源線Ｐに接続して、電源電圧（ＥＬＶＤＤ）と階調電圧（Ｄａｔａ）との電位差を第２容量３２に蓄積するようにすれば、第２電源線Ｗも省略することができる。
（実施形態２）
【００４２】
本発明の第２実施形態に係る電気光学装置について、図１３及び図１４を参照しながら詳細に説明する。
【００４３】
本発明の第２施形態による電気光学装置は、図１３の各ＯＬＥＤ１０の駆動回路の回路図に示したように、上述した第１実施形態と比較して、発光スイッチ駆動線Ｅ、発光スイッチトランジスタ１２及び第２初期化トランジスタ１６を省略し、その代わりに、制御回路２がＯＬＥＤ１０のカソード電圧（ＥＬＶＳＳ）を振ることによって、ＯＬＥＤ１０に流れる電流のＯＮ／ＯＦＦを制御するようにしたことのみが異なり、他の構成を共通とする。そのため、以下においては、第１実施形態との相違点のみを説明して、共通部分の説明を省略する。
【００４４】
そこで、図１４のタイミングチャートに基づいて、制御回路２による各ＯＬＥＤ１０の駆動回路に対する制御内容を、説明する。なお、上述した第１実施形態の場合と同様に、以下の処理は、所定の垂直同期信号に同期した周期で階調電圧生成部２２がフレーム単位の階調電圧を生成する毎に、繰り返し実行されるが、説明の便宜上、あるフレームの階調データについてのプログラミングを実行する時点から、説明を開始する。
【００４５】
まず、図１４のＳ１において、制御回路２は、全ての行について、初期化トランジスタ駆動信号（ＧＣ１）の電位をＬ（第１初期化トランジスタ１４＝ＯＦＦ）、ブートストラップスイッチ駆動信号（ＧＣ２）の電位をＨ（ブートストラップスイッチトランジスタ１７＝ＯＮ）、転送スイッチ駆動信号（ＧＣ３）の電位をＬ（転送スイッチトランジスタ１３＝ＯＦＦ）、ＥＬＶＳＳをアース電位とする。これにより、全てのＯＬＥＤ１０の駆動回路において、駆動トランジスタ１１と第２容量３２とが電気的に分離され、第１容量３１がフローティングとなり、前のフレームの階調電圧に基づいて第１容量３１に保持された電圧（Ｖｇｓ＝Ｖｉｎｉｔ−Ｄａｔａ＋Ｖｔｈ）に応じて、駆動トランジスタ１１がＯＬＥＤ１０に電流を供給することにより、階調電圧に応じた輝度でＯＬＥＤ１０を発光させる。
【００４６】
同時に、制御回路２は、走査対象行（初期においては第１行であり、所定の水平同期信号に応じて、順次、次の行に切り換わる）以外の行については、第１スキャン信号（Ｓｃａｎ）の電位をＬ（走査トランジスタ１５＝ＯＦＦ）のままとしつつ、走査対象行については、第１スキャン信号（Ｓｃａｎ）の電位をＨ（走査トランジスタ１５＝ＯＮ）に切り替える。この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に蓄積される。なお、上述したように、転送スイッチトランジスタ１３がＯＦＦであることから、この階調電圧（Ｄａｔａ）が駆動トランジスタ１１のゲート電圧に影響を与えることはない。
【００４７】
制御回路２は、以上に説明したプログラミングを、所定の水平同期信号が入力されるごとに走査対象行を順次切り替えつつ、全ての行について実行する。そして、走査対象行を次の行に切り替えると、制御回路２は、プログラミングが完了した行の第１スキャン信号（Ｓｃａｎ）の電位をＬ（走査トランジスタ１５＝ＯＦＦ）に切り替えて、第１容量３１に階調電圧（Ｄａｔａ）を保持させる。
【００４８】
全ての行に対するプログラムが完了すると、制御回路２は、図１４のＳ２において、データ線Ｄに供給している電圧を初期化電圧（Ｖｉｎｉｔ）に切り替えるとともに、全ての行のスキャン信号（Ｓｃａｎ）の電位をＬ（走査トランジスタ１５＝ＯＦＦ）に切り替え、初期化トランジスタ駆動信号（ＧＣ１）の電位をＨ（第１初期化トランジスタ１４＝ＯＮ）、ＥＬＶＳＳを電源電圧（ＥＬＶＤＤ）と同電位に、それぞれ切り替える。その結果、ＥＬＶＤＤからの電流は流れないので、ＯＬＥＤ１０は消灯する。また、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。同時に、駆動トランジスタ１１のゲート電位が初期化電圧（Ｖｉｎｉｔ）に初期化され、フローティングとなっている駆動トランジスタ１１のソース電位は、初期化電圧（Ｖｉｎｉｔ）から駆動トランジスタ１１の閾値電圧（Ｖｔｈ）分だけ降下した値（Ｖｉｎｉｔ−Ｖｔｈ）となり、駆動トランジスタ１１がＯＦＦとなる。このとき、駆動トランジスタ１１のゲート−ソース間寄生容量に蓄積された電圧は、Ｖｔｈとなる。
【００４９】
次に、図１４のＳ３において、制御回路２は、全ての行について、ブートストラップスイッチ駆動信号（ＧＣ２）の電位をＬ（ブートストラップスイッチトランジスタ１７＝ＯＦＦ）、ＥＬＶＤＤをアース電位に切り替える。すると、ブートストラップスイッチトランジスタ１７がＯＦＦになることにより、第１容量３１が駆動トランジスタ１１のゲートから切り離される。このとき、駆動トランジスタ１１はＯＦＦのままであるので、第１電源線Ｐと第２電源線Ｗとのショートが防止される。
【００５０】
次に、図１４のＳ４において、制御回路２は、全ての行について、転送スイッチ駆動信号（ＧＣ３）の電位をＨ（転送スイッチトランジスタ１３＝ＯＮ）、ＥＬＶＳＳを電源電圧（ＥＬＶＤＤ）と同電位に切り替える。その結果、全てのＯＬＥＤ１０の駆動回路において、第２容量３２に蓄積された階調電圧（Ｄａｔａ）が、転送スイッチトランジスタ１３を通じて駆動トランジスタ１１のゲートに印加される。この時、上述したように、駆動トランジスタ１１のゲート−ソース間寄生容量には電圧（Ｖｔｈ）が蓄積されているので、駆動トランジスタ１１は直ちにＯＮとなる。これにより、駆動トランジスタ１１は、ソースフォロワ回路として働き、ＥＬＶＤＤからの電流が駆動トランジスタ１１、第１容量３１、第２初期化トランジスタ１６を通って流れ、駆動トランジスタ１１のソース電圧がゲート電圧（Ｄａｔａ）からＶｔｈだけ降下した値（Ｄａｔａ−Ｖｔｈ）となり、初期化電圧（Ｖｉｎｉｔ）との電位差（Ｖｉｎｉｔ−Ｄａｔａ＋Ｖｔｈ）が第１容量３１に保持される。すなわち、以上の動作により、駆動トランジスタ１１を通じて、階調電圧（Ｄａｔａ）の第２容量３２から第１容量３１への転送と、当該階調電圧（Ｄａｔａ）に対するＶｔｈ補償とが、同時になされたことになるのである。
【００５１】
次に、図１４のＳ５において、制御回路２は、全ての行について、第１初期化トランジスタ駆動信号（ＧＣ１）の電位をＬ（第１初期化トランジスタ１４＝ＯＦＦ）、電源遮断信号（ＧＣ２）の電位をＨ（ブートストラップスイッチトランジスタ１７＝ＯＮ）、転送スイッチ駆動信号（ＧＣ３）の電位をＬ（転送スイッチトランジスタ１３＝ＯＦＦ）に、それぞれ切り替える。その結果、全てのＯＬＥＤ１０の駆動回路において、転送スイッチトランジスタ１３がＯＦＦになるので、第２容量３２が駆動トランジスタ１１のゲートから電気的に切り離される。また、第１初期化トランジスタ１４がＯＦＦになり、ブートストラップスイッチトランジスタ１７がＯＮになることから、駆動トランジスタ１１がブートストラップされた状態となり、第１容量３１に保持された電圧（Ｖｉｎｉｔ−Ｄａｔａ＋Ｖｔｈ）が駆動トランジスタ１１のゲート−ソース間に印加される。このとき、駆動トランジスタ１１のゲート−ソース間の寄生容量よりも第１容量３１が十分に大きいので、寄生容量とのチャージシェアは問題とならず、駆動トランジスタ１１のゲート−ソース間電圧はＶｇｓ（＝Ｖｉｎｉｔ−Ｄａｔａ＋Ｖｔｈ）になる。
【００５２】
次に、図１４のＳ６において、制御回路２は、全ての行について、ＥＬＶＳＳの電位をアース電位に切り替える。その結果、駆動トランジスタ１１のゲート−ソース間電圧（Ｖｇｓ＝Ｖｉｎｉｔ−Ｄａｔａ＋Ｖｔｈ）から閾値電圧（Ｖｔｈ）分だけ降下した電圧（Ｖｉｎｉｔ−Ｄａｔａ）に応じた電流が駆動トランジスタ１１のドレイン−ソース間を流れ、ＯＬＥＤ１０を発光させる。その結果、ＯＬＥＤの発光輝度はＤａｔａに応じたものとなる。
【００５３】
以後、制御回路２は、ＯＬＥＤ１０の発光を継続しつつ次の階調電圧を入力するために、Ｓ１以降の処理を実行する。
【００５４】
本実施形態におけるその他の作用は、上述した実施形態１と全く同じであるので、その説明を省略する。
（実施形態３）
【００５５】
本発明の第３実施形態に係る電気光学装置について、図１５及び図１６参照しながら詳細に説明する。
【００５６】
本発明の第３施形態による電気光学装置は、図１５の各ＯＬＥＤ１０の駆動回路の回路図に示したように、上述した第１実施形態と比較して、転送スイッチ駆動線Ｉを省略し、転送スイッチングトランジスタ１３のゲートを初期化トランジスタ駆動線Ｎに接続して、駆動トランジスタ１１及びＯＬＥＤ１０の初期化と階調データ（Ｄａｔａ）の転送を同時に行うことのみが異なり、他の構成を共通とする。そのため、以下においては、第１実施形態との相違点のみを説明して、共通部分の説明を省略する。
【００５７】
そこで、図１６のタイミングチャートに基づいて、制御回路２による各ＯＬＥＤ１０の駆動回路に対する制御内容を、説明する。なお、上述した第１実施形態の場合と同様に、以下の処理は、所定の垂直同期信号に同期した周期で階調電圧生成部２２がフレーム単位の階調電圧を生成する毎に、繰り返し実行されるが、説明の便宜上、あるフレームの階調データについてのプログラミングを実行する時点から、説明を開始する。
【００５８】
まず、図１６のＳ１において、制御回路２は、全ての行について、初期化トランジスタ駆動信号（ＧＣ１）の電位をＬ（転送スイッチトランジスタ１３＝ＯＦＦ、第１初期化トランジスタ１４＝ＯＦＦ、第２初期化トランジスタ１６＝ＯＦＦ）、ブートストラップスイッチ駆動信号（ＧＣ２）の電位をＨ（ブートストラップスイッチトランジスタ１７＝ＯＮ）、発光スイッチ駆動信号（ＥＭ）の電位をＨ（発光スイッチトランジスタ１２＝ＯＮ）とする。これにより、全てのＯＬＥＤ１０の駆動回路において、駆動トランジスタ１１と第２容量３２とが電気的に分離され、第１容量３１がフローティングとなり、前のフレームの階調電圧に基づいて第１容量３１に保持された電圧（Ｖｇｓ＝Ｖｉｎｉｔ−Ｄａｔａ＋Ｖｔｈ）に応じて、駆動トランジスタ１１がＯＬＥＤ１０に電流を供給することにより、階調電圧に応じた輝度でＯＬＥＤ１０を発光させる。
【００５９】
同時に、制御回路２は、走査対象行（初期においては第１行であり、所定の水平同期信号に応じて、順次、次の行に切り換わる）以外の行については、第１スキャン信号（Ｓｃａｎ）の電位をＬ（走査トランジスタ１５＝ＯＦＦ）のままとしつつ、走査対象行については、第１スキャン信号（Ｓｃａｎ）の電位をＨ（走査トランジスタ１５＝ＯＮ）に切り替える。この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に蓄積される。なお、上述したように、転送スイッチトランジスタ１３がＯＦＦであることから、この階調電圧（Ｄａｔａ）が駆動トランジスタ１１のゲート電圧に影響を与えることはない。
【００６０】
制御回路２は、以上に説明したプログラミングを、所定の水平同期信号が入力されるごとに走査対象行を順次切り替えつつ、全ての行について実行する。そして、走査対象行を次の行に切り替えると、制御回路２は、プログラミングが完了した行の第１スキャン信号（Ｓｃａｎ）の電位をＬ（走査トランジスタ１５＝ＯＦＦ）に切り替えて、第１容量３１に階調電圧（Ｄａｔａ）を保持させる。
【００６１】
全ての行に対するプログラムが完了すると、制御回路２は、図１６のＳ２において、データ線Ｄに供給している電圧を初期化電圧（Ｖｉｎｉｔ）に切り替えるとともに、全ての行のスキャン信号（Ｓｃａｎ）の電位をＬ（走査トランジスタ１５＝ＯＦＦ）に切り替え、初期化トランジスタ駆動信号（ＧＣ１）の電位をＨ（転送スイッチトランジスタ１３＝ＯＮ、第１初期化トランジスタ１４＝ＯＮ、第２初期化トランジスタ１６＝ＯＮ）、発光スイッチ駆動信号（ＥＭ）の電位をＬ（発光スイッチトランジスタ１２＝ＯＦＦ）に切り替える。その結果、ＥＬＶＤＤからの電流は発光スイッチトランジスタ１２によって遮断されるので、ＯＬＥＤ１０は消灯する。また、ＯＬＥＤ１０のアノードが基準電圧（ＶＳＴ）に初期化され、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。同時に、全てのＯＬＥＤ１０の駆動回路において、第２容量３２に蓄積された階調電圧（Ｄａｔａ）が、転送スイッチトランジスタ１３を通じて駆動トランジスタ１１のゲートに印加される。これにより、駆動トランジスタ１１は、ソースフォロワ回路として働き、ＥＬＶＤＤからの電流が駆動トランジスタ１１、第１容量３１、第１初期化トランジスタ１４通って流れ、駆動トランジスタ１１のソース電圧がゲート電圧（Ｄａｔａ）からＶｔｈだけ降下した値（Ｄａｔａ−Ｖｔｈ）となり、初期化電圧（Ｖｉｎｉｔ）との電位差（Ｖｉｎｉｔ−Ｄａｔａ＋Ｖｔｈ）が第１容量３１に保持される。すなわち、以上の動作により、駆動トランジスタ１１を通じて、階調電圧（Ｄａｔａ）の第２容量３２から第１容量３１への転送と、当該階調電圧（Ｄａｔａ）に対するＶｔｈ補償とが、同時になされたことになるのである。
【００６２】
次に、図１６のＳ３において、制御回路２は、全ての行について、第１初期化トランジスタ駆動信号（ＧＣ１）の電位をＬ（転送スイッチトランジスタ１３＝ＯＦＦ、第１初期化トランジスタ１４＝ＯＦＦ、第２初期化トランジスタ１６＝ＯＦＦ）、電源遮断信号（ＧＣ２）の電位をＨ（ブートストラップスイッチトランジスタ１７＝ＯＮ）に、それぞれ切り替える。その結果、全てのＯＬＥＤ１０の駆動回路において、転送スイッチトランジスタ１３がＯＦＦになるので、第２容量３２が駆動トランジスタ１１のゲートから電気的に切り離される。また、第１初期化トランジスタ１４がＯＦＦになり、ブートストラップスイッチトランジスタ１７がＯＮになることから、駆動トランジスタ１１がブートストラップされた状態となり、第１容量３１に保持された電圧（Ｖｉｎｉｔ−Ｄａｔａ＋Ｖｔｈ）が駆動トランジスタ１１のゲート−ソース間に印加される。このとき、駆動トランジスタ１１のゲート−ソース間の寄生容量よりも第１容量３１が十分に大きいので、寄生容量とのチャージシェアは問題とならず、駆動トランジスタ１１のゲート−ソース間電圧はＶｇｓ（＝Ｖｉｎｉｔ−Ｄａｔａ＋Ｖｔｈ）になる。
【００６３】
次に、図１６のＳ４において、制御回路２は、全ての行について、発光スイッチ駆動信号（ＥＭ）の電位をＨ（発光スイッチトランジスタ１２＝ＯＮ）に切り替える。その結果、駆動トランジスタ１１のゲート−ソース間電圧（Ｖｇｓ＝Ｖｉｎｉｔ−Ｄａｔａ＋Ｖｔｈ）から閾値電圧（Ｖｔｈ）分だけ降下した電圧（Ｖｉｎｉｔ−Ｄａｔａ）に応じた電流が駆動トランジスタ１１のドレイン−ソース間を流れ、ＯＬＥＤ１０を発光させる。その結果、ＯＬＥＤの発光輝度はＤａｔａに応じたものとなる。
【００６４】
以後、制御回路２は、ＯＬＥＤ１０の発光を継続しつつ次の階調電圧を入力するために、Ｓ１以降の処理を実行する。
本実施形態におけるその他の作用は、上述した実施形態１と全く同じであるので、その説明を省略する。
（第４実施形態）
【００６５】
本発明の第４実施形態に係る電気光学装置について、図１７及び図１８を参照しながら詳細に説明する。
【００６６】
本発明の第４実施形態による電気光学装置は、上述した第１実施形態と比較して、各トランジスタ１１〜１７をＰチャネル型ＭＯＳＦＥＴに置き換え、同じ機能を持たせるため、配線及び各信号のパターンを若干変更したものである。
【００６７】
本発明の第４実施形態による電気光学装置のブロック図は図１と同じとなるので、図１についての第１実施形態の説明を援用する。本第４実施形態における各画素回路１の具体的回路構成は図１７に示す通りとなるので、以下、その説明を行う。
【００６８】
図１７に示すように、第１電源線ＰとＯＬＥＤ１０のアノードとの間には、順番に、発光スイッチトランジスタ１２及び駆動トランジスタ１１が接続されている。そして、発光スイッチトランジスタ１２のゲートには発光スイッチ駆動線Ｅが電気的に接続されている。また、駆動トランジスタ１１のドレインとＯＬＥＤ１０のアノードとの接続点は、第２初期化トランジスタ１６を介して第２電源線Ｗに電気的に接続されている。この第２初期化トランジスタ１６のゲートは、初期化トランジスタ駆動信号（ＧＣ１）に電気的に接続されている。
【００６９】
駆動トランジスタ１１のソースと発光スイッチトランジスタ１２のドレインとの接続点は、第１容量３１及び第１初期化トランジスタ１４を介して第１電源線Ｐに接続されている。この第１初期化トランジスタ１４のゲートは、初期化トランジスタ駆動信号（ＧＣ１）に電気的に接続されている。
【００７０】
第１容量３１と第１初期化トランジスタ１４との接続点と駆動トランジスタ１１のゲートとの間には、ブートストラップスイッチトランジスタ１７が接続されている。このブートストラップスイッチトランジスタ１７のゲートは、ブートストラップスイッチ駆動線Ｇに接続されている。
【００７１】
駆動トランジスタ１１のゲートは、さらに、転送スイッチトランジスタ１３及び第２容量３２を介して第２電源線Ｗに接続されている。この転送スイッチトランジスタ１３のゲートは、転送スイッチ駆動線Ｉに接続されている。また、転送スイッチトランジスタ１３と第２容量３２との接続点は、走査トランジスタ１５を介してデータ線Ｄに接続されている。この走査トランジスタ１５のゲートは、スキャン線Ｓに接続されている。
【００７２】
次に、図１８のタイミングチャートを用いて、制御回路２による各ＯＬＥＤ１０の駆動回路に対する制御内容を、説明する。なお、上述した第１実施形態の場合と同様に、以下の処理は、所定の垂直同期信号に同期した周期で階調電圧生成部２２がフレーム単位の階調電圧を生成する毎に、繰り返し実行されるが、説明の便宜上、あるフレームの階調データについてのプログラミングを実行する時点から、説明を開始する。
【００７３】
まず、図１８のＳ１において、制御回路２は、全ての行について、初期化トランジスタ駆動信号（ＧＣ１）の電位をＨ（第１初期化トランジスタ１４＝ＯＦＦ、第２初期化トランジスタ１６＝ＯＦＦ）、ブートストラップスイッチ駆動信号（ＧＣ２）の電位をＬ（ブートストラップスイッチトランジスタ１７＝ＯＮ）、転送スイッチ駆動信号（ＧＣ３）の電位をＨ（転送スイッチトランジスタ１３＝ＯＦＦ）、発光スイッチ駆動信号（ＥＭ）の電位をＬ（発光スイッチトランジスタ１２＝ＯＮ）とする。これにより、全てのＯＬＥＤ１０の駆動回路において、駆動トランジスタ１１と第２容量３２とが電気的に分離され、第１容量３１がフローティングとなり、前のフレームの階調電圧に基づいて第１容量３１に保持された電圧（Ｖｇｓ＝Ｖｉｎｉｔ−Ｄａｔａ＋Ｖｔｈ）に応じて、駆動トランジスタ１１がＯＬＥＤ１０に電流を供給することにより、階調電圧に応じた輝度でＯＬＥＤ１０を発光させる。
【００７４】
同時に、制御回路２は、走査対象行（初期においては第１行であり、所定の水平同期信号に応じて、順次、次の行に切り換わる）以外の行については、第１スキャン信号（Ｓｃａｎ）の電位をＨ（走査トランジスタ１５＝ＯＦＦ）のままとしつつ、走査対象行については、第１スキャン信号（Ｓｃａｎ）の電位をＬ（走査トランジスタ１５＝ＯＮ）に切り替える。この時点では、制御回路２は、走査対象行のＯＬＥＤ１０用の階調電圧（Ｄａｔａ）をデータ線Ｄに供給している。したがって、この階調電圧（Ｄａｔａ）は、第２容量３２に蓄積される。なお、上述したように、転送スイッチトランジスタ１３がＯＦＦであることから、この階調電圧（Ｄａｔａ）が駆動トランジスタ１１のゲート電圧に影響を与えることはない。
【００７５】
制御回路２は、以上に説明したプログラミングを、所定の水平同期信号が入力されるごとに走査対象行を順次切り替えつつ、全ての行について実行する。そして、走査対象行を次の行に切り替えると、制御回路２は、プログラミングが完了した行の第１スキャン信号（Ｓｃａｎ）の電位をＨ（走査トランジスタ１５＝ＯＦＦ）に切り替えて、第１容量３１に階調電圧（Ｄａｔａ）を保持させる。
【００７６】
全ての行に対するプログラムが完了すると、制御回路２は、図１８のＳ２において、データ線Ｄに供給している電圧を初期化電圧（Ｖｉｎｉｔ）に切り替えるとともに、全ての行のスキャン信号（Ｓｃａｎ）の電位をＨ（走査トランジスタ１５＝ＯＦＦ）に切り替え、初期化トランジスタ駆動信号（ＧＣ１）の電位をＬ（第１初期化トランジスタ１４＝ＯＮ、第２初期化トランジスタ１６＝ＯＮ）、発光スイッチ駆動信号（ＥＭ）の電位をＨ（発光スイッチトランジスタ１２＝ＯＦＦ）に切り替える。その結果、ＥＬＶＤＤからの電流は発光スイッチトランジスタ１２によって遮断されるので、ＯＬＥＤ１０は消灯する。また、ＯＬＥＤ１０のアノードが基準電圧（ＶＳＴ）に初期化され、前フレームの発光に際してＯＬＥＤ１０の寄生容量に溜まった電荷がディスチャージされる。よって、階調電圧（Ｄａｔａ）の値が黒に相当するものであった場合に、ＯＬＥＤ１０に電流が流れて発光することが防止される。同時に、駆動トランジスタ１１のゲート電位が初期化電圧（Ｖｉｎｉｔ）に初期化され、フローティングとなっている駆動トランジスタ１１のソース電位は、初期化電圧（Ｖｉｎｉｔ）から駆動トランジスタ１１の閾値電圧（Ｖｔｈ）分だけ高い値（Ｖｉｎｉｔ＋Ｖｔｈ）となり、駆動トランジスタ１１がＯＦＦとなる。このとき、駆動トランジスタ１１のゲート−ソース間寄生容量に蓄積された電圧は、Ｖｔｈとなる。
【００７７】
次に、図１８のＳ３において、制御回路２は、全ての行について、ブートストラップスイッチ駆動信号（ＧＣ２）の電位をＨ（ブートストラップスイッチトランジスタ１７＝ＯＦＦ）、転送スイッチ駆動信号（ＧＣ３）の電位をＬ（転送スイッチトランジスタ１３＝ＯＮ）に切り替える。その結果、全てのＯＬＥＤ１０の駆動回路において、第２容量３２に蓄積された階調電圧（Ｄａｔａ）が、転送スイッチトランジスタ１３を通じて駆動トランジスタ１１のゲートに印加される。この時、上述したように、駆動トランジスタ１１のゲート−ソース間寄生容量には電圧（Ｖｔｈ）が蓄積されているので、駆動トランジスタ１１は直ちにＯＮとなる。これにより、駆動トランジスタ１１は、ソースフォロワ回路として働き、ＶＳＴからの電流が第２初期化トランジスタ１６、駆動トランジスタ１１及び第１容量３１及び第１初期化トランジスタ１４を通って流れ、駆動トランジスタ１１のソース電圧がゲート電圧（Ｄａｔａ）からＶｔｈだけ高い値（Ｄａｔａ＋Ｖｔｈ）となり、初期化電圧（Ｖｉｎｉｔ）との電位差（Ｖｉｎｉｔ−Ｄａｔａ−Ｖｔｈ）が第１容量３１に保持される。すなわち、以上の動作により、駆動トランジスタ１１を通じて、階調電圧（Ｄａｔａ）の第２容量３２から第１容量３１への転送と、当該階調電圧（Ｄａｔａ）に対するＶｔｈ補償とが、同時になされたことになるのである。
【００７８】
次に、図１８のＳ４において、制御回路２は、全ての行について、初期化トランジスタ駆動信号（ＧＣ１）の電位をＨ（第１初期化トランジスタ１４＝ＯＦＦ、第２初期化トランジスタ１６＝ＯＦＦ）、電源遮断信号（ＧＣ２）の電位をＬ（ブートストラップスイッチトランジスタ１７＝ＯＮ）、転送スイッチ駆動信号（ＧＣ３）の電位をＨ（転送スイッチトランジスタ１３＝ＯＦＦ）に、それぞれ切り替える。その結果、全てのＯＬＥＤ１０の駆動回路において、転送スイッチトランジスタ１３がＯＦＦになるので、第２容量３２が駆動トランジスタ１１のゲートから電気的に切り離される。また、第１初期化トランジスタ１４がＯＦＦになり、ブートストラップスイッチトランジスタ１７がＯＮになることから、駆動トランジスタ１１がブートストラップされた状態となり、第１容量３１に保持された電圧（Ｖｉｎｉｔ−Ｄａｔａ＋Ｖｔｈ）が駆動トランジスタ１１のゲート−ソース間に印加される。このとき、駆動トランジスタ１１のゲート−ソース間の寄生容量よりも第１容量３１が十分に大きいので、寄生容量とのチャージシェアは問題とならず、駆動トランジスタ１１のゲート−ソース間電圧はＶｇｓ（＝Ｖｉｎｉｔ−Ｄａｔａ−Ｖｔｈ）になる。
【００７９】
次に、図１８のＳ５において、制御回路２は、全ての行について、発光スイッチ駆動信号（ＥＭ）の電位をＬ（発光スイッチトランジスタ１２＝ＯＮ）に切り替える。その結果、駆動トランジスタ１１のゲート−ソース間電圧（Ｖｇｓ＝Ｖｉｎｉｔ−Ｄａｔａ−Ｖｔｈ）から閾値電圧（Ｖｔｈ）分だけ高い電圧（Ｖｉｎｉｔ＋Ｄａｔａ）に応じた電流が駆動トランジスタ１１のドレイン−ソース間を流れ、ＯＬＥＤ１０を発光させる。その結果、ＯＬＥＤの発光輝度はＤａｔａに応じたものとなる。
【００８０】
以後、制御回路２は、ＯＬＥＤ１０の発光を継続しつつ次の階調電圧を入力するために、Ｓ１以降の処理を実行する。
【００８１】
本実施形態におけるその他の作用は、上述した実施形態１と全く同じであるので、その説明を省略する。
【符号の説明】
【００８２】
１      画素回路
２      制御回路
１０      ＯＬＥＤ
１１      駆動トランジスタ
１３      転送スイッチトランジスタ
１７      ブートストラップスイッチトランジスタ１７
３１      第１容量
３２      第２容量
Ｐ      第１電源線
Ｓ１      第１走査線
【図１】
2015045830.tif 000003
【図２】
2015045830.tif 000004
【図３】
2015045830.tif 000005
【図４】
2015045830.tif 000006
【図５】
2015045830.tif 000007
【図６】
2015045830.tif 000008
【図７】
2015045830.tif 000009
【図８】
2015045830.tif 000010
【図９】
2015045830.tif 000011
【図１０】
2015045830.tif 000012
【図１１】
2015045830.tif 000013
【図１２】
2015045830.tif 000014
【図１３】
2015045830.tif 000015
【図１４】
2015045830.tif 000016
【図１５】
2015045830.tif 000017
【図１６】
2015045830.tif 000018
【図１７】
2015045830.tif 000019
【図１８】
2015045830.tif 000020
【図１９】
2015045830.tif 000021
【図２０】
2015045830.tif 000022